(57)【要約】      （修正有）【課題】折りたたみ椅子の背中支え棒の改良構造を提供する。【解決手段】主には前足棒１０、後足棒１１、交差支え板１２、肘掛支え棒１３、支え横棒２０、シート３０で構成する折り畳み椅子の背中支え棒改良構造である。該後足棒に凸球状ブロック１１１を設け、該前足棒の長さは後足棒より短く、該交差支え板は各足棒の間に設置する。該肘掛支え棒は前足棒と後足棒の間に設置することで、全体構造の固定を強化する。該シートは座る部分のシート３１と背もたれシート３２に分かれ、該支え横棒はリング、横棒２２、固定リング２３を含み、該リングを後足棒の上に嵌合し、該横棒の一端に凸ブロックを設け、該固定リングを横棒の別端に設置し、それに別の後足棒を固定する。【選択図】図１
0003145808.tif 000002
【実用新案登録請求の範囲】
【請求項１】
前脚棒、後足棒、交差支え板、肘掛支え棒、支え横棒、シートを含み、
該支え横棒は縦方向に折りたたむ椅子の後脚棒の間に横向きに設置することで、ユーザーが座る際に椅子の背もたれシートが圧力を受けて内側に変形し、それにより後脚棒が圧迫して変形による損害を防止し、及び、
該支え横棒は二本の後脚棒の間の如何なる位置にも設置できることを特徴とする折りたたみ椅子の背中支え棒の構造。
【請求項２】
前記後脚棒の如何なる位置にも凸球状ブロックを設け、該前脚棒は後脚棒より短く、該肘掛支え棒を前脚棒と後足棒の間に設置し、及び、
該支え棒はリング、横棒、固定リングを設け、該リングを後脚棒に嵌合し、
該リングに接合槽211を設け、該横棒の片端に接合凸ブロックを設け、
該固定リングを横棒の別端に設置し、後脚棒に嵌合することで、支え横棒が後脚棒の間に位置しながらも、移動することができ、折りたたむことができ、及び、
該シートは座る部分と背もたれ部分を含み、前脚棒、後足棒の棒に通して設置することを特徴とする請求項１記載の折りたたみ椅子の背中支え棒の構造。
【請求項３】
前記横棒はアーチ状、棒状、コの字或はその他の人体工学に合致する形状など、様々な形状にできることを特徴とする請求項２記載の折りたたみ椅子の背中支え棒の構造。
【請求項４】
前記支え横棒の両端はキャップ及び固定キャップに変更することができ、直接二本の後脚棒の先端を固定するダブルリングキャップ支え横棒を形成することを特徴とする請求項２記載の折りたたみ椅子の背中支え棒の構造。
【請求項５】
前記支え横棒はリング、横棒、接続パーツで組成する関節構造にすることができ、該リングに接合槽を設け、該横棒の一端に接合凸ブロックを設け、それをリングにある接合槽と接続し、回転可能の関節を形成することを特徴とする請求項1記載の折りたたみ椅子の背中支え棒改の構造。
【考案の詳細な説明】
【技術分野】
【０００１】
本考案は折りたたみ椅子の背中支え棒の構造に関し、特に縦方向或は横方向の折りたたみ椅子に適応し、前後足棒の支え力を強化できる折りたたみ椅子の背中支え棒の改良構造に関する。
【背景技術】
【０００２】
従来の縦方向折りたたみ椅子の構造は、図１５、図１６、図１７、図１８に示すように、前後の足棒(11)はそれぞれ独立し、二本の後足棒(11)の間にサポート構造が全くない。よって、ユーザーが折りたたみ椅子に座る際、シート(31)(図18)及び背もたれ(32)がユーザーの重量を受け、シート(31)と背もたれ(32)と接続する前足棒(10)と後足棒(11)は圧迫を受けて内側に傾く。前足棒(10)と後足棒(11)の下方はシート(31)の重みを受けるが、肘掛棒(13)にその力が分散される。
しかし、二本の後足棒(11)の間に全く支え構造がないため、背もたれ(32)が受ける重みは分散できず、長時間使用すると、重みで変形し、構造に損害を及ぼし、安全面での危惧もあるため、改善する必要があった。
【特許文献１】特開２００２−３６０３７１号公報
【特許文献２】特開２００５−２７９１２３号公報
【考案の開示】
【考案が解決しようとする課題】
【０００３】
前記公知構造の欠点を解決するため、本考案は前足棒、後足棒、交差支え板、肘掛支え棒、シート、支え横棒を設置し、長時間使用しても体重の重みで変形しない折りたたみ椅子の背中支え棒の改良構造を提供することを主な課題とする。
【課題を解決するための手段】
【０００４】
前記課題を解決するために、本考案は、前脚棒、後足棒、交差支え板、肘掛支え棒、支え横棒、シートを含み、該支え横棒は縦方向に折りたたむ椅子の後脚棒の間に横向きに設置することで、ユーザーが座る際に椅子の背もたれシートが圧力を受けて内側に変形し、それにより後脚棒が圧迫して変形による損害を防止し、及び、
該支え横棒は二本の後脚棒間の如何なる位置にも設置できることを特徴とする折りたたみ椅子の背中支え棒の構造である。
【考案の効果】
【０００５】
本考案によれば、支え横棒を設置することにより、二本の後足棒の支える力が強化し、背もたれシートが圧力を受けて内側に変形することを防止するため、全体構造が更にしっかりとしたものになる。また、リング、横棒、固定リングを設置することにより、折りたたむ際、それらを外すだけで、増設した支え横棒が折りたたむのに支障とならない。
【考案を実施するための最良の形態】
【０００６】
本考案の好適な折りたたみ椅子の背中支え棒の改良した構造の実施例を、図に沿って説明する。
図１、図２、図３、図４、図５、図６に示すのは、本考案の実施例の折りたたみ椅子の背中支え棒改良構造である。主に前足棒(10)、後足棒(11)、交差支え板(12)、肘掛支え棒(13)、支え横棒(20)、シート(30)で構成している。該後足棒(11)の上に凸球状ブロック(111)を設け、該凸球状ブロック(111)は後足棒(11)の如何なる位置にも設置することができ、支え横棒(20)の高さを固定する。該前足棒(10)の長さは後足棒(11)より短く、該交差支え板(12)は各足棒の間に交差して設置し、折りたたむ関節となる。該肘掛支え棒(13)は前足棒(10)と後足棒(11)の間に設置し、全体構造を支える。
【０００７】
図６に示すように、該支え横棒(20)はリング(21)、横棒(22)、固定リング(23)を含み、該リング(21)は後足棒(11)に嵌め、リング(21)に突出して設ける接合凹槽(211)は該横棒(22)の一端に設ける接合凸ブロック(221)と嵌合することで、回転関節を形成する。該横棒(22)は丸い棒やアーチ状、コの字型或はその他の人体にフィットする形状にすることができる。該固定リング(23)を横棒(22)の別端に設置し、後足棒(11)に嵌合して固定する。該支え横棒(20)は二本の後足棒(11)の間の如何なる位置にも設置できる。
【０００８】
該シート(30)は座るシート(31)と背もたれシート(32)を含み、前足棒(10)、後足棒(11)に通して設置する。
【０００９】
図２に示すように、折りたたみ椅子を展開して使用する際、リング(21)を一つの後足棒(11)に嵌め、凸球状ブロック(111)にあてがう。固定リング(23)は別の後足棒(11)に嵌め、同じく凸球状ブロック(111)にあてがうことで、支え横棒(20)全体の構造を二本の後足棒(11)の間に設置し、強化した支え構造を形成する。
【００１０】
図４、図５に示すように、折りたたみ椅子をたたむ時、固定リング(23)を後足棒(11)から外し、リング(21)を中心として横棒(22)を椅子の後方まで回転し、後足棒(11)と合わせば、支え横棒(20)は折りたたむ際の支障とならない。
【００１１】
図７に示すのは、本考案の実施例一である。図６に示す支え横棒(20)の両端をキャップ(25)と固定キャップ(26)に変更し、直接二本の後足棒(11)の先端に固定するダブルリングキャップ支え横棒(27)を形成する。
【００１２】
図８に示すのは、本考案の実施例二である。縦方向折りたたみ椅子の二本後足棒(11)の先端に図７に示すダブルリングキャップ支え横棒(27)を設置する構造であり、肘掛支え棒(13)を設置せず、折りたたみ椅子の座る幅と角度を増やす。
【００１３】
図９に示すのは、本考案の実施例三である。後足棒(11)の先端に二股キャップ(24)を設置し、それぞれ肘掛支え棒(13)、横棒(22)と嵌合する。横棒(22)が固定キャップ(26)と接続することで、肘掛支え棒(13)と横棒(22)がＬ字型に形成するため、ユーザーは肘掛支え棒(13)或は横棒(22)にもたれて座ることができる。
【００１４】
図１０に示すのは、従来構造二の立体構造略図である。折りたたみタイプの足部支え(40)を具有する折りたたみ椅子である。該折りたたみタイプ足部支え(40)は中央にＸ型の交差支え装置(42)を具有する二本の支え棒(41)が、全体の構造と共に折りたたむ、或は開く。図11に示すのは、本考案の実施例四である。該支え横棒(20)は図10のＸ型交差支え装置(42)の代わりに、足部支え(40)の二本の支え棒(41)の底部に嵌合することができる。
【００１５】
図１２、図１３、図１４に示すのは、本考案の実施例五である。該支え横棒(50)にリング(51)、横棒(52)、接続パーツ(53)を具有する。該リング(51)に接合槽(511)を設け、後足棒(11)に嵌合する。該横棒(52)の一端に接合凸ブロック(521)を設け、リング(51)の接合槽（511）と接続することで、回転できる関節を形成する。該接続パーツ(53)を横棒(52)の別端に設置し、更に別端を第二横棒(52)と接続してから二つ目のリング(51)と接続し、別の後足棒(11)と嵌合する。
【００１６】
図１９、図２０に示すのは、従来構造三の立体構造略図及び立体構造折りたたみ図である。横方向に折りたたむ折りたたみ椅子である。口の字の外枠フレーム(60)と、二つのコの字のシート骨組み(61)、二本の背中棒(62)を含む。該二つのシート骨組み(61)は二つの外枠フレーム(60)の間に位置し、交差して横向きに開合できる構造である。該二本の背中棒(62)はそれぞれ二つの外枠フレーム(60)に設置する。図21に示すのは本考案の実施例六である。該二つのシート骨組み(61)の間にシート(63)を設置し、該二本の背中棒(62)の間に、本考案の図６にある支え横棒(20)構造を設置することで、二本の背中棒(62)の横向きの支え力を強化する。
【００１７】
以上のように、本考案の実施例は、主に前足棒、後足棒、交差支え板、肘掛支え棒、シート、支え横棒で組成し、該支え横棒はリング、横棒、固定リングを含み、該シートは座るシートと背もたれシートが含まれている。
したがって、長所１は、本考案の二本の後足棒の間に一本の支え横棒を設置することで、二本の後足棒の支える力が強化するため、背もたれシートが圧力を受けて内側に変形するのを防止し、全体構造が更にしっかりとしたものになる。
長所２は、本考案のリングは後足棒に嵌合してから横棒、固定リングを接続し、固定リングを更に別の後足棒に嵌合する。よって、折りたたみ椅子を折りたたむ際、固定リングを取るだけで、支え横棒は折りたたむ際の支障とならない。
本考案の特徴を損なうものでなければ、上記の実施例に限定されるものでないことは勿論である。
【図面の簡単な説明】
【００１８】
【図１】本考案の立体図である。
【図２】本考案の骨組み構造展開図である。
【図３】本考案の骨組み構造折りたたみ図である。
【図４】本考案の支え横棒折りたたみ動作一図である。
【図５】本考案の支え横棒折りたたみ動作二図である。
【図６】本考案の支え棒構造分解図である。
【図７】本考案の実施例一略図である。
【図８】本考案の実施例二略図である。
【図９】本考案の実施例三略図である。
【図１０】従来構造二立体構造略図である。
【図１１】本考案の実施例四略図である。
【図１２】本考案の実施例五支え横棒構造分解図である。
【図１３】本考案の実施例五構造展開略図である。
【図１４】本考案の実施例五構造折りたたみ略図である。
【図１５】従来構造の骨組み構造展開図である。
【図１６】従来構造の骨組み構造折りたたみ図である。
【図１７】従来構造の受ける力を示す略図一である。
【図１８】従来構造の受ける力を示す略図二である。
【図１９】従来構造三の立体構造略図である。
【図２０】従来構造三の立体構造折りたたみ図である。
【図２１】本考案の実施例六の構造略図である。
【符号の説明】
【００１９】
10  前足棒
11  後足棒
111  凸球状ブロック
12  交差支え板
13  肘掛支え棒
20  支え横棒
21  リング
211  接合槽
22  横棒
221  接合凸ブロック
23  固定リング
24  二股キャップ
25  キャップ
26  固定キャップ
27  ダブルリングキャップ支え横棒
30  シート
31  座るシート
32  背もたれシート
40  足部支え
41  支え棒
42  Ｘ型交差支え装置
50  支え横棒
51  リング
511  接合槽
52  横棒
521  接合凸ブロック
53  接続パーツ
60  外枠フレーム
61  シート骨組み
62  背中棒
63  シート
【図１】
0003145808.tif 000003
【図２】
0003145808.tif 000004
【図３】
0003145808.tif 000005
【図４】
0003145808.tif 000006
【図５】
0003145808.tif 000007
【図６】
0003145808.tif 000008
【図７】
0003145808.tif 000009
【図８】
0003145808.tif 000010
【図９】
0003145808.tif 000011
【図１０】
0003145808.tif 000012
【図１１】
0003145808.tif 000013
【図１２】
0003145808.tif 000014
【図１３】
0003145808.tif 000015
【図１４】
0003145808.tif 000016
【図１５】
0003145808.tif 000017
【図１６】
0003145808.tif 000018
【図１７】
0003145808.tif 000019
【図１８】
0003145808.tif 000020
【図１９】
0003145808.tif 000021
【図２０】
0003145808.tif 000022
【図２１】
0003145808.tif 000023